(57)【特許請求の範囲】
【請求項１】
テープを巻付けるリールと、
前記テープと紙葉類とを共に巻付けるドラムと、
前記リールと前記ドラムとの間に配置され、前記テープを前記ドラムの方向に転向させる転向ローラと、を備え、
前記転向ローラを経由して前記リールと前記ドラムとの間に巻き掛けられたテープを、巻取り、巻戻して紙葉類を収納、排出する紙葉類収納排出装置において、
前記転向ローラとドラムとの間の紙葉類搬送方向における前記転向ローラ側で、前記転向ローラから前記ドラムに至る前記テープのテープ裏面側に、前記ドラムに向かって突出する突出部を有し、前記紙葉類搬送方向の直交方向の幅が前記テープのテープ幅より広いガイドを設け、
前記突出部の前記紙葉類搬送方向の直交方向の幅の一部が、前記テープ幅以下の幅に形成されていることを特徴とする紙葉類収納排出装置。
【請求項２】
請求項１において、
前記突出部が矩形であって、その前記紙葉類搬送方向の直交方向の幅が、前記テープ幅より狭い幅に形成されていることを特徴とする紙葉類収納排出装置。
【請求項３】
請求項１において、
前記突出部が台形であって、その前記ドラム側である上辺が、前記テープ幅より狭く、その下辺が前記テープ幅より広く形成されていることを特徴とする紙葉類収納排出装置。
【請求項４】
請求項１ないし請求項３のいずれか一項において、
前記ガイドが、薄板で形成されていることを特徴とする紙葉類収納排出装置。
【請求項５】
請求項１ないし請求項３のいずれか一項において、
前記ガイドが、厚板で形成され、前記突出部の前記ドラム側に、前記突出部の前記テープ側の面から、前記ドラムに対して離間する方向に傾斜する傾斜面を設けたことを特徴とする紙葉類収納排出装置。
【請求項６】
請求項１ないし請求項３のいずれか一項において、
前記ガイドが、厚板で形成され、前記突出部の前記ドラム側に、前記突出部の前記テープ側の面から、前記ドラムに対して近接する方向に傾斜する傾斜面を設けたことを特徴とする紙葉類収納排出装置。
【発明の詳細な説明】
【技術分野】
【０００１】
本発明は、紙幣、小切手、証書等の紙葉類をテープと共にドラムに巻取って収納し、テープを巻戻して収納した紙葉類を排出する紙葉類収納排出装置に関する。
【背景技術】
【０００２】
従来の紙葉類収納排出装置としての紙幣収納排出装置は、第１のテープを巻付ける第１のリールと、第２のテープを巻付ける第２のリールと、第１のテープと第２のテープとを合せて巻付けるドラムと、紙幣入出口に対向配置され、第１および第２のテープを、それぞれドラムの方向に転向させる第１および第２の転向ローラとで構成され、第１および第２の転向ローラにそれぞれ巻き掛けられた第１および第２のテープの間で受取った紙幣を、紙幣の中央部をそれぞれの搬送面の間に挟持したままドラムに巻取って収納し、ドラムに巻付けられた紙幣を、第１および第２のテープを巻戻して、それらの搬送面の間に挟持したまま繰出し、紙幣入出口へ搬送して排出している（例えば、特許文献１参照。）。
【特許文献１】特開平８−６７３８２号公報（主に段落０００８−００１２、第１図、第２図）
【発明の開示】
【発明が解決しようとする課題】
【０００３】
しかしながら、上述した従来の技術においては、ドラムに巻付けられた紙幣を第１および第２のテープの搬送面の間に挟持したまま繰出して紙幣入出口へ搬送しているため、紙幣をドラムから繰出したときに、ドラムとテープによる拘束から開放された紙幣の繰出方向の先端側の隅部が、図８に示すように、紙幣の折れ癖やカールによってテープ側へ折れ曲がり、その隅折れ部ＤＥが、テープの搬送面と反対側のテープ裏面上に覆いかぶさってしまうと、隅折れ部ＤＥが転向ローラとテープ裏面との間に挟まれてしまい、繰出方向に搬送される紙幣にジャムやスキュー、破れ等の搬送異常が発生するという問題がある。
【０００４】
本発明は、上記の問題点を解決するためになされたもので、紙幣等の紙葉類のドラムからの繰出時における搬送異常を防止する手段を提供することを目的とする。
【課題を解決するための手段】
【０００５】
本発明は、上記課題を解決するために、テープを巻付けるリールと、前記テープと紙葉類とを共に巻付けるドラムと、前記リールと前記ドラムとの間に配置され、前記テープを前記ドラムの方向に転向させる転向ローラと、を備え、前記転向ローラを経由して前記リールと前記ドラムとの間に巻き掛けられたテープを、巻取り、巻戻して紙葉類を収納、排出する紙葉類収納排出装置において、前記転向ローラとドラムとの間の紙葉類搬送方向における前記転向ローラ側で、前記転向ローラから前記ドラムに至る前記テープのテープ裏面側に、前記ドラムに向かって突出する突出部を有し、前記紙葉類搬送方向の直交方向の幅が前記テープのテープ幅より広いガイドを設け、
前記突出部の前記紙葉類搬送方向の直交方向の幅の一部が、前記テープ幅以下の幅に形成されていることを特徴とする。
【発明の効果】
【０００６】
これにより、本発明は、紙葉類のドラムからの繰出時に、テープ上に覆いかぶさるように折れ曲がろうとする隅折れ部を、突出部の搬送方向に沿った側面に接触させて、隅折れ部がテープ上に覆いかぶさる前に、その折れ曲がりを矯正することができ、繰出方向に搬送される紙葉類の搬送異常を防止することができるという効果が得られる。
【発明を実施するための最良の形態】
【０００７】
以下に、図面を参照して本発明による紙葉類収納排出装置の実施例について説明する。
【実施例１】
【０００８】
図１は実施例１の紙幣収納排出装置の側面を示す説明図、図２は図１のＡ方向から見た矢視図、図３は実施例１のガイド板の上面を示す説明図、図４は実施例１のガイド板の側面を示す説明図である。
図１において、１は紙葉類収納排出装置としての紙幣収納排出装置であり、現金自動預払機や自動券売機等の自動取引装置の一時保留部として用いられる。
【０００９】
２は第１のテープ、３は第２のテープであり、同じ材料（例えば、合成ゴム）で、同じ形状、同じ長さに形成されており、それぞれの一端を第１のリール４ａ、第２のリール４ｂに固定して巻付けられている。
なお、各図において、第１および第２のテープ２、３には、それぞれ網掛けを付して示してある。
【００１０】
５はドラムであり、第１のテープ２と第２のテープ３とのそれぞれの他端が固定されており、第１のテープ２の搬送面２ａと、第２のテープ３の搬送面３ａとを合せた状態で巻付けられる。
７ａ、７ｂは第１および第２の転向ローラであり、回転軸を中心に空転するローラであって、紙葉類入出部としての紙幣入出部８に形成された紙葉類入出口としての紙幣入出口９に、紙葉類としての紙幣Ｐの挿入が可能な程度に離間した状態で対向配置され、第１および第２のテープ２、３の、それぞれの搬送面２ａ、３ａの反対側の面であるテープ裏面２ｂ、３ｂを、それぞれの外周面に巻掛けて、第１および第２のテープ２、３をドラム５の方向に転向させる。
【００１１】
本実施例の紙幣Ｐは、その長手方向を搬送方向として搬送され、その短手方向の中央部を、第１および第２のテープ２、３のそれぞれの搬送面２ａ、３ａの間に挟持されたままでドラム５に巻取られる。
なお、図１に示す破線は、紙幣Ｐを挟持したまま巻付けられた第１および第２のテープ２、３の最大外径を示す。
【００１２】
２０はガイドとしてのガイド板であり、詳細は後述する。
図２において、１１はモータ等の駆動装置であり、大歯車および小歯車を組合せたギア列１２により、第１および第２のリール４ａ、４ｂを回転させるリールシャフト１４ａ、１４ｂ、並びにドラム５を回転させるドラムシャフト１５をそれぞれ正逆方向に回転駆動する。
【００１３】
１６ａ、１６ｂ、１６ｃは電磁クラッチ等のクラッチであり、リールシャフト１４ａ、１４ｂおよびドラムシャフト１５に、ギア列１２を介して伝達された駆動力の、第１および第２のリール４ａ、４ｂ、並びにドラム５への駆動力の伝達を断続させる機能を有している。
１８ａ、１８ｂはトルクリミッタであり、第１および第２のリール４ａ、４ｂに、設定された制限トルクを超えるトルクが負荷されたときに制限トルクで空転して、第１および第２のテープ２、３に所定の張力を付与する機能を有している。
【００１４】
本実施例のガイド板２０は、図１に示すように、第１の転向ローラ７ａとドラム５との間の第１の転向ローラ７ａ側で、かつ第１の転向ローラ７ａからドラム５に至る第１のテープ２のテープ裏面２ｂ側に配置され、図３、図４に示すように、そのテープ裏面２ｂとの対向面２０ａから板厚方向に貫通して、第１の転向ローラ７ａおよび、第１のリール４ａと第１の転向ローラ７ａとの間に掛け渡された第１のテープ２を挿通させる窓部２１が設けられ、そのドラム５側の面２０ｂの中央部には、ドラム５に向かって突出する突出部２２が形成されている。
【００１５】
本実施例のガイド板２０は、図４に示すように、合金鋼等の金属材料または樹脂材料で形成された、搬送される紙幣Ｐの搬送方向に直交する方向の長さ（本実施例では、紙幣Ｐの短手方向の長さ）より広い幅を有する薄板（厚さ、１ｍｍ程度）であって、図３に示すように、その突出部２２は矩形に形成され、矩形の第１のテープ２の搬送方向の直交方向の幅が、第１のテープ２の搬送方向の直交方向のテープ幅より狭い幅に形成されている。
【００１６】
上記の構成の作用について説明する。
紙幣Ｐを収納する場合は、紙幣Ｐが、図示しない外部の搬送路によって紙幣収納排出装置１の紙幣入出口９へ、紙幣Ｐの長手方向を搬送方向として搬送され、図１に示すように、第１および第２の転向ローラの７ａ、７ｂに巻掛けられた第１および第２のテープ２、３のそれぞれの搬送面２ａ、３ａの間に挿入される。
【００１７】
紙幣Ｐが挿入されると、リールシャフト１４ａ、１４ｂのクラッチ１６ａ、１６ｂがＯＦＦ（駆動力の非伝達状態をいう。）に、ドラムシャフト１５のクラッチ１６ｃがＯＮ（駆動力の伝達状態をいう。）になり、駆動装置１１の駆動力がギア列１２を介してドラムシャフト１５に伝達され、ドラム５が図１において反時計方向に回転し、第１および第２のテープ２、３が、トルクリミッタ１８ａ、１８ｂによる制限トルクで空転する第１および第２のリール４ａ、４ｂにより所定の張力が付与された状態で巻取られる。
【００１８】
このとき、挿入された紙幣Ｐは、第１および第２のテープ２、３の搬送面２ａ、３ａの間で受取られて、短手方向の中央部を第１および第２のテープ２、３のそれぞれの搬送面２ａ、３ａの間に挟持されて搬送され、第１および第２のテープ２、３に挟持されたままでドラム５に巻取られて収納される。
また、紙幣Ｐを排出する場合は、リールシャフト１４ａ、１４ｂのクラッチ１６ａ、１６ｂがＯＮに、ドラムシャフト１５のクラッチ１６ｃがＯＦＦになり、駆動装置１１の駆動力がギア列１２を介してリールシャフト１４ａ、１４ｂに伝達されてそれぞれ図１において反時計方向に回転し、第１および第２のテープ２、３が巻戻されて、ドラム５が図１において時計方向に回転させられ、ドラム５に巻付けられて収納されている紙幣Ｐが、第１および第２のテープ２、３の搬送面２ａ、３ａの間に挟持されたまま繰出され、第１および第２のテープ２、３により搬送されて紙幣入出口９から排出され、図示しない外部の搬送路に引渡される。
【００１９】
この紙幣Ｐのドラム５からの繰出時に、図８に示すように、ドラム５と第１および第２のテープ２、３とによる拘束から開放された紙幣Ｐの繰出方向の先端側が、テープ裏面２ｂ上に覆いかぶさるように折れ曲がろうとしても、本実施例の第１のテープ２のテープ裏面２ｂ側に配置されたガイド板２０には、テープ幅より狭い幅に形成された突出部２２が設けてあるので、その隅折れ部ＤＥが、突出部２２の搬送方向に沿った側面に接触し、隅折れ部ＤＥがテープ裏面２ｂ上に覆いかぶさる前に、搬送方向の直交方向に押し広げられて折れ曲がりが矯正され、隅折れ部ＤＥが、第１の転向ローラ７ａと第１のテープ２のテープ裏面２ｂとの間に挟まれることなく、ガイド板２０の突出部２２を除くドラム５側の面２０ｂによりガイド板２０の第１のテープ２との対向面２０ａに導かれ、紙幣入出口９へ向かって繰出方向に搬送される紙幣Ｐの搬送異常が防止される。
【００２０】
なお、前記においては、紙幣Ｐの繰出方向の先端側の一隅に、隅折れ部ＤＥが形成される場合を例に説明したが、先端側の両隅に隅折れ部ＤＥが形成される場合や、後端側の一隅または両隅に隅折れ部ＤＥが形成される場合においても同様である。
また、本実施例では、突出部２２は矩形であるとして説明したが、図５に示すように、ガイド板２０のドラム５側の面２０ｂの中央部に、その先端であるドラム５側の上辺が、第１のテープ２のテープ幅より狭く、その下辺がテープ幅より広く形成された等脚台形の突出部２２を設けるようにしてもよい。このようにすれば、隅折れ部ＤＥを、突出部２２の搬送方向に沿った側面である斜辺の面に接触させて、隅折れ部ＤＥがテープ裏面２ｂ上に覆いかぶさる前に、搬送方向の直交方向に徐々に押し広げて、折れ曲がりを徐々に矯正しながら、隅折れ部ＤＥを、ガイド板２０の突出部２２を除くドラム５側の面２０ｂによりガイド板２０の対向面２０ａに導いて紙幣入出口９へ搬送することができ、繰出方向に搬送される紙幣Ｐの搬送異常を防止することができる。
【００２１】
以上説明したように、本実施例では、第１および第２のテープを巻付ける第１および第２のリールと、第１のテープと第２のテープとのそれぞれの搬送面の間に紙幣Ｐを挟持したまま巻付けるドラムと、紙幣入出口に対向配置され、第１および第２のテープをそれぞれドラムの方向に転向させる第１および第２の転向ローラとを備え、第１および第２の転向ローラを経由して、第１および第２のリールとドラムとの間に巻き掛けられた第１および第２のテープを巻取り、巻戻して紙幣Ｐを収納、排出する紙葉類収納排出装置において、第１の転向ローラとドラムとの間の第１の転向ローラ側で、第１の転向ローラからドラムに至る第１のテープのテープ裏面側に、ドラムに向かって突出する突出部を有するガイド板を設けたことによって、紙幣Ｐのドラムからの繰出時に、テープ裏面上に覆いかぶさるように折れ曲がろうとする隅折れ部ＤＥを、突出部の搬送方向に沿った側面に接触させて、隅折れ部ＤＥがテープ裏面上に覆いかぶさる前に、その折れ曲がりを矯正することができ、繰出方向に搬送される紙幣Ｐの搬送異常を防止することができる。
【実施例２】
【００２２】
図６は実施例２のガイド板の側面を示す説明図である。
なお、上記実施例１と同様の部分は、同一の符号を付してその説明を省略する。
本実施例のガイドとしてのガイド板２０は、金属材料または樹脂材料からなる厚板で形成されて、上記実施例１と同様の位置に配置されており、その突出部２２を除くドラム５側の面２０ｂは、面２０ｂと対向面２０ａとの角、つまり第１のテープ２のテープ裏面２ｂ側の角からドラム５に対して近接する方向に傾斜するガイド面２５として形成され、突出部２２のドラム５側の先端部には、第１のテープ２のテープ裏面２ｂとの対向面２０ａから、ドラム５に対して離間する方向、つまりガイド面２５と反対方向に傾斜する傾斜面２７が設けられている。
【００２３】
このような厚板で形成されたガイド板２０は、ガイド板２０を樹脂材料で形成する場合に好適である。
なお、本実施例の突出部２２の上面から見た形状（上面視の形状という。）は、上記実施例１と同様の、矩形に形成されている。
このようにしても、紙幣Ｐのドラム５からの繰出時に、図８に示すように、ドラム５と第１および第２のテープ２、３とによる拘束から開放された紙幣Ｐが、テープ裏面２ｂ上に覆いかぶさるように折れ曲がろうとしたときに、その隅折れ部ＤＥを、テープ幅より狭い幅に形成された突出部２２の搬送方向に沿った側面に接触させて、隅折れ部ＤＥがテープ裏面２ｂ上に覆いかぶさる前に、搬送方向の直交方向に押し広げて矯正しながら、ガイド板２０の突出部２２を除くドラム５側の面２０ｂとして形成されたガイド面２５によりガイド板２０の対向面２０ａに導いて紙幣入出口９へ搬送することができ、繰出方向に搬送される紙幣Ｐの搬送異常を防止することができる。
【００２４】
また、突出部２２のドラム５側の傾斜面２７は、ドラム５に対して離間する方向に傾斜しているので、強い折れ癖やカールにより隅折れ部ＤＥが形成されたとしても、その隅折れ部ＤＥの隅部を掬上げながら紙幣Ｐの折れ曲がりを徐々に矯正することができる。
なお、本実施例では、突出部２２の上面視の形状は矩形として説明したが、図５に示した等脚台形としても、上記実施例１と同様の効果を得ることができる。
【００２５】
なお、本実施例では、突出部２２のドラム５側の傾斜面２７は、ドラム５に対して離間する方向に傾斜させるとして説明したが、図７に示すように、傾斜面２７を、第１のテープ２のテープ裏面２ｂとの対向面２０ａから、ドラム５に対して近接する方向、つまりガイド面２５と同方向に傾斜するように形成してもよい。このようにしても上記実施例１と同様の効果を得ることができる。
【００２６】
以上説明したように、本実施例では、ガイド板を厚板で形成する場合に、その突出部の先端部に傾斜面を設けるようにしたことによって、上記実施例１と同様の効果を得ることができる。
また、傾斜面をドラムに対して離間する方向に傾斜させたことによって、強い折れ癖やカールにより隅折れ部ＤＥが形成されたとしても、その隅折れ部ＤＥの隅部を掬上げながら紙幣Ｐの折れ曲がりを徐々に矯正することができる。
【００２７】
なお、上記各実施例においては、突出部の上面視の形状は、矩形または等脚台形として説明したが、底辺をテープ幅より広く形成した２等辺三角形であってもよい。
また、上記各実施例においては、テープは合成ゴム等の樹脂材料で形成するとして説明したが、テープの材料は前記に限らず、搬送ベルト等に用いるベルト材料や、紙等で形成してもよい。
【００２８】
更に、上記各実施例においては、ガイド板２０を、第１のテープ２のテープ裏面２ｂ側にのみ設けるとして説明したが、上記で説明したガイド板２０を第１のガイド板とし、第２のテープ２のテープ裏面３ｂ側に、第１のガイド板と同様に形成された第２のガイド板を、第１のガイド板に対して、第１および第２のテープ２、３を挟んで対向配置するようにしてもよい。
【００２９】
このようにすれば、第２のテープ３のテープ裏面３ｂ上に覆いかぶさるように折れ曲がろうとする隅折れ部ＤＥが発生した場合においても、上記と同様にして、繰出方向に搬送される紙幣Ｐの搬送異常を防止することができる。
更に、上記各実施例においては、２本のテープをドラムに巻付けて紙幣Ｐの収納および排出を行う紙幣収納排出装置を例に説明したが、１本のテープをドラムに巻付けて紙幣Ｐの収納および排出を行う紙幣収納排出装置に、本発明のガイド板を適用しても同様の効果を得ることができる。
【００３０】
この場合に、ガイド板はテープのテープ裏面側に配置してもよく、テープの搬送面側、またはこれらの両方に配置してもよい。
更に、上記各実施例においては、紙葉類は紙幣であるとして説明したが、紙葉類は前記に限らず、小切手や証書等であってもよい。
更に、上記各実施例においては、本発明のガイド板を自動取引装置の一時保留部に適用する場合を例に説明したが、紙葉類を搬送する搬送路で、紙葉類の搬送方向に沿った側縁部がガイドされていない搬送路に適用しても同様の効果を得ることができる。
【図面の簡単な説明】
【００３１】
【図１】実施例１の紙幣収納排出装置の側面を示す説明図
【図２】図１のＡ方向から見た矢視図
【図３】実施例１のガイド板の上面を示す説明図
【図４】実施例１のガイド板の側面を示す説明図
【図５】実施例１のガイド板の他の形態の上面を示す説明図
【図６】実施例２のガイド板の側面を示す説明図
【図７】実施例２のガイド板の他の形態の側面を示す説明図
【図８】従来の紙幣の繰出時における隅折れ部の状態を示す説明図
【符号の説明】
【００３２】
１    紙幣収納排出装置
２    第１のテープ
２ａ、３ａ  搬送面
２ｂ、３ｂ  テープ裏面
３    第２のテープ
４ａ  第１のリール
４ｂ  第２のリール
５    ドラム
７ａ  第１の転向ローラ
７ｂ  第２の転向ローラ
８    紙幣入出部
９    紙幣入出口
１１  駆動装置
１２  ギア列
１４ａ、１４ｂ  リールシャフト
１５  ドラムシャフト
１６ａ、１６ｂ、１６ｃ  クラッチ
１８ａ、１８ｂ  トルクリミッタ
２０  ガイド板
２０ａ  対向面
２０ｂ  面
２１  窓部
２２  突出部
２５  ガイド面
２７  傾斜面
【図１】
0004888442.tif 000002
【図２】
0004888442.tif 000003
【図３】
0004888442.tif 000004
【図４】
0004888442.tif 000005
【図５】
0004888442.tif 000006
【図６】
0004888442.tif 000007
【図７】
0004888442.tif 000008
【図８】
0004888442.tif 000009